(57)【要約】【課題】商品マスタに設定されていない未設定商品の設定や商品登録の操作を容易に行うことができる商品販売登録装置を提供すること。【解決手段】商品マスタ１１０に設定されていない未設定商品を、当該未設定商品が属する特定部門（例えば青果部門）の売上げとして商品登録する未設定商品登録手段（ステップＳＴ１−３，４など）と、商品が商品登録可能な状態において未設定商品を仮設定商品としてタッチパネル１３に操作子（仮設定画面Ｇ２）を表示して設定する仮設定商品設定手段（ステップＳＴ１−５など）とを有する。また仮設定商品設定手段によって設定された仮設定商品を、直接指定することで商品登録可能とする（ステップＳＴ１−２で仮設定商品をそのままステップＳＴ１−８，９において商品登録するなど）。【選択図】図４
2020101857.tif 000002
【特許請求の範囲】
【請求項１】
商品を商品登録して販売を行なう商品販売登録装置であって、
表示手段と、
少なくとも商品名と価格とを予め設定して記憶する商品マスタと、
前記商品マスタに設定されていない未設定商品を、当該未設定商品が属する特定部門の売上げとして商品登録する未設定商品登録手段と、
前記商品が商品登録可能な状態において前記未設定商品を仮設定商品として前記表示手段に操作子を表示して設定する仮設定商品設定手段と、
を有することを特徴とする商品販売登録装置。
【請求項２】
前記仮設定商品設定手段によって設定された仮設定商品を、直接指定することで商品登録可能としたことを特徴とする請求項１に記載の商品販売登録装置。
【請求項３】
前記表示手段に表示された仮設定商品の商品情報を編集する編集手段をさらに有し、
前記編集手段は、編集によって、前記仮設定商品を本設定商品として前記商品マスタに記憶させることを特徴とする請求項１又は２に記載の商品販売登録装置。
【請求項４】
前記編集手段は、前記仮設定商品に対して操作可能であり、前記予め設定して記憶された本設定商品に対しては操作不可であることを特徴とする請求項３に記載の商品販売登録装置。
【請求項５】
前記仮設定商品が本設定商品として設定された場合、当該設定された本設定商品を、仮設定商品の際に設定した特定部門の商品として設定し、
当該商品を、前記表示手段の当該特定部門の商品を表示するページに表示することを特徴とする請求項１乃至４の内の何れかに記載の商品販売登録装置。
【発明の詳細な説明】
【技術分野】
【０００１】
本発明は、小売店などで顧客に販売する商品の登録と精算を行う商品販売登録装置に関するものである。
【背景技術】
【０００２】
従来、例えば、小売店などに設置されているＰＯＳ装置（商品販売登録装置）は、商品名や価格などを各商品毎に設定して記憶した商品マスタ（商品ファイル）を有し、このＰＯＳ装置の表示部に表示した商品登録画面に前記商品マスタに記憶しておいた商品を表示させ、当該表示させた商品にタッチするなどして指定することで、顧客が購入を希望する商品の商品登録を行い、全ての商品の商品登録が終わった後に精算を行っている。
【０００３】
一方、前記商品マスタに設定されていない未設定商品の場合は、当該商品の属する部門（例えば、青果部門、精肉部門など）と金額とを入力してその商品の商品登録と精算を行っている。
【先行技術文献】
【特許文献】
【０００４】
【特許文献１】特開２０１０−１０８３５０号公報
【発明の概要】
【発明が解決しようとする課題】
【０００５】
しかし、上記未設定商品について異なる顧客に対してその商品登録を行う場合は、上記操作（部門と金額の入力など）を繰り返して行う必要があり、操作が煩雑であった。また、上記問題を解決するには、上記未設定商品を商品マスタに別途設定（本設定）すればよいが、その本設定作業は煩雑であった。
【０００６】
本発明は上述の点に鑑みてなされたものでありその目的は、未設定商品の設定や商品登録の操作を容易に行うことができる商品販売登録装置を提供することにある。
【課題を解決するための手段】
【０００７】
本発明は、商品を商品登録して販売を行なう商品販売登録装置であって、表示手段と、少なくとも商品名と価格とを予め設定して記憶する商品マスタと、前記商品マスタに設定されていない未設定商品を、当該未設定商品が属する特定部門の売上げとして商品登録する未設定商品登録手段と、前記商品が商品登録可能な状態において前記未設定商品を仮設定商品として前記表示手段に操作子を表示して設定する仮設定商品設定手段と、を有することを特徴としている。
特定部門とは、例えば青果部門、果物部門、精肉部門など、その商品の属性や分類に対応する部門を言う。また本設定商品とは、商品マスタに設定されている商品を言う。
本発明によれば、商品が商品登録可能な状態において未設定商品を容易に仮設定でき、またその属性に応じた特定部門の売上げとして容易に商品登録することができる。
【０００８】
また本発明は、上記特徴に加え、前記仮設定商品設定手段によって設定された仮設定商品を、直接指定することで商品登録可能としたことを特徴としている。
仮設定商品を一度設定しておけば、その後はこの仮設定商品を直接指定することで（本設定商品として設定しなくても）、その商品登録を容易に行うことができる。
【０００９】
また本発明は、上記特徴に加え、前記表示手段に表示された仮設定商品の商品情報を編集する編集手段をさらに有し、前記編集手段は、編集によって、前記仮設定商品を本設定商品として前記商品マスタに記憶させることを特徴としている。
編集手段を用いることで、仮設定商品を容易に本設定商品に設定することができる。
【００１０】
また本発明は、上記特徴に加え、前記編集手段は、前記仮設定商品に対して操作可能であり、前記予め設定して記憶された本登録商品に対しては操作不可であることを特徴としている。
即ち、仮設定商品の編集（変更や削除など）はできるが、本設定商品の編集はできない。これによって、本設定商品の安易な編集を防止することができる。
【００１１】
また本発明は、上記特徴に加え、前記仮設定商品が本設定商品として設定された場合、当該設定された本設定商品を、仮設定商品の際に設定した特定部門の商品として設定し、当該商品を、前記表示手段の当該特定部門の商品を表示するページに表示することを特徴としている。
仮登録商品については、すでに特定部門が設定されているので、新たに特定部門を設定することなく、仮設定商品を本設定商品として設定するだけで、当該本設定商品の特定部門を設定し、表示することができる。
【発明の効果】
【００１２】
本発明によれば、未設定商品の設定や商品登録の操作を容易に行うことができる。
【図面の簡単な説明】
【００１３】
【図１Ａ】商品販売登録装置（ＰＯＳ装置）１の外観構成を示す正面図である。
【図１Ｂ】商品販売登録装置（ＰＯＳ装置）１の外観構成を示す平面図である。
【図１Ｃ】商品販売登録装置（ＰＯＳ装置）１の外観構成を示す右側面図である。
【図１Ｄ】商品販売登録装置（ＰＯＳ装置）１の外観構成を示す左側面図である。
【図１Ｅ】商品販売登録装置（ＰＯＳ装置）１の外観構成を示す背面図である。
【図１Ｆ】商品販売登録装置（ＰＯＳ装置）１の外観構成を示す底面図である。
【図１Ｇ】商品販売登録装置（ＰＯＳ装置）１の外観構成を示す斜視図である。
【図１Ｈ】商品販売登録装置（ＰＯＳ装置）１の外観構成を示す斜視図である。
【図２】ＰＯＳ装置１の構成を示すブロック図である。
【図３】商品マスタ１１０の一例を示す図である。
【図４】商品の登録精算方法の動作フロー図である。
【図５】買上画面Ｇ１の一例を示す図である。
【図６】買上画面Ｇ１の一例を示す図である。
【図７】仮設定画面Ｇ２を表示した買上画面Ｇ１の一例を示す図である。
【図８】買上画面Ｇ１の一例を示す図である。
【図９】仮設定ファイル１３０の一例を示す図である。
【図１０】仮設定商品の商品情報を編集・削除などする際の動作フロー図である。
【図１１】買上画面Ｇ１の一例を示す図である。
【図１２】買上画面Ｇ１の一例を示す図である。
【図１３】買上画面Ｇ１の一例を示す図である。
【図１４】編集画面Ｇ３を示す図である。
【図１５】買上画面Ｇ１の一例を示す図である。
【図１６】買上画面Ｇ１の一例を示す図である。
【図１７】買上画面Ｇ１の一例を示す図である。
【図１８】買上画面Ｇ１の一例を示す図である。
【図１９】買上画面Ｇ１の一例を示す図である。
【図２０】割引入力画面Ｇ４を表示した買上画面Ｇ１の一例を示す図である。
【図２１】買上画面Ｇ１の一例を示す図である。
【図２２】預り金額入力欄Ｇ５を表示した買上画面Ｇ１の一例を示す図である。
【発明を実施するための形態】
【００１４】
以下、本発明の実施形態を図面を参照して詳細に説明する。
図１Ａ〜図１Ｈは本発明の一実施形態にかかる商品販売登録装置（以下「ＰＯＳ装置」という）１の外観構成を示す図、図２はＰＯＳ装置１の構成を示すブロック図である。図１に示すように、ＰＯＳ装置１は、ケース１１の上面にタッチパネル１３を設置し、またその上部の一方の側にレシートを発行する発行口１５を設けて構成されている。このＰＯＳ装置１には、スキャナや入出金装置が別付けで接続される。
【００１５】
また図２に示すように、ＰＯＳ装置１は、ＣＰＵ２１と、ハードディスク２３と、ＲＯＭ２５と、ＲＡＭ２７と、スキャナ部１７と、タッチパネル１３を構成する表示部３１と、印刷部３３と、入出金部１９と、通信部３５と、タッチパネル１３を構成する操作部３７とを備え、これらをバスなどの通信回線３９によって相互に接続して構成されている。
【００１６】
ＣＰＵ２１は、ＲＯＭ２５に記憶されているプログラムを読み出して実行することにより、ＰＯＳ装置１の動作を制御する。ＲＯＭ２５は、プログラム（下記する図  の処理をＣＰＵ２１で実行させるプログラムを含む）などを記憶する。ＲＡＭ２７は、種々の情報を一時記憶する。ハードディスク２３は、例えば下記する商品ファイル１１０の内容や、仮設定ファイル１３０の内容や、取引履歴情報など、を記憶する記憶手段である。
【００１７】
スキャナ部１７は、このＰＯＳ装置１に接続された図示しないスキャナ、即ち商品に付されたバーコードなどの商品識別情報を光学的に取得（入力）する取得手段（入力手段）からの入力を処理する処理部である。タッチパネル１３は、例えば液晶ディスプレイであり、操作者に対して種々の情報を表示する表示部（表示手段）３１と、画面にタッチすることで各種命令を入力する操作部３７の機能を有している。印刷部３３は、この例では、レシートに印字を行って、前記発行口１５から印刷済みのレシートを発行するものである。入出金部１９は、このＰＯＳ装置１に接続された図示しない入出力装置、即ち釣銭釣札機や磁気カード読取部やＩＣカード読取部などからの入力を処理する処理部であり、現金、クレジットカードなどにより決済処理が行われる。釣銭釣札機や磁気カード読取部やＩＣカード読取部を用いて決済を実行した場合は、決済を実行した結果を、ＣＰＵ２１に出力する。通信部３５は、必要に応じて、図示しない他の各種装置と通信する。
【００１８】
図３は、商品マスタ１１０の一例を示す図である。同図に示すように、商品マスタ１１０には、商品毎に、商品コード、部門、商品名称、価格などの商品情報が記憶されている。部門とは、その商品の特性に応じて区分けした分類を言い、例えばこの実施形態では、「野菜」、「果物」、「飲料（清涼飲料）」、「缶詰」、「精肉」、「アルコール」、「総菜」などの分類を言う。商品マスタ１１０は、この例では前記ハードディスク２３やＲＡＭ２７に記憶されている。この商品マスタ１１０に設定・記憶された各商品は、以下、本設定商品ともいう。
【００１９】
次にこのＰＯＳ装置１において、顧客が購入を希望する商品を商品登録・精算する場合の登録精算方法を説明する。図４は、商品の登録精算方法の動作フロー図である。同図に示すように、商品登録を行う場合は、まず、ＰＯＳ装置１のタッチパネル１３に、買上（登録）画面Ｇ１を表示する（ステップＳＴ１−１）。図５は、買上画面Ｇ１の一例を示す図である。同図に示すように、買上画面Ｇ１には、その左側上部に買上商品表示欄Ｇ１１、買上商品表示欄Ｇ１１の下側に支払種別選択欄Ｇ１３、支払種別選択欄Ｇ１３の右側に精算内容表示欄Ｇ１５、買上商品表示欄Ｇ１１の右側に商品選択欄Ｇ１７を表示して構成されている。また買上画面Ｇ１の右下には、ソフトウエアキーボード（操作子）を表示させる仮設定ボタンＧ１９が表示されている。
【００２０】
支払種別選択欄Ｇ１３には、クレジットカードボタンＧ１３１、プリペイドカードボタンＧ１３３、現金ボタンＧ１３７などが表示されており、何れかのボタンを押下（タッチ）することで、支払い方法を選択することができる。支払い方法には、これら以外にも、例えば携帯端末による支払方法など、他の各種方法がある。精算内容表示欄Ｇ１５には、買い上げた商品の小計・合計額などの精算用の各種情報を表示する。商品選択欄Ｇ１７には、登録可能な商品群を表示する。この例に示す商品選択欄Ｇ１７の上部には、部門選択部（ページ選択用タブ）Ｇ１７１が表示されており、その下部の部門商品一覧Ｇ１７３には、選択した部門（ページ）の商品の一覧を表示している。選択できる部門は、商品の特性に応じて区分けした通常の部門の他に、お気に入りされた商品の部門（お気に入り部門）や、下記する仮設定された商品の部門（仮設定部門）などが含まれる。図５においては、「★」マークからなるお気に入り部門が選択され、登録されているお気に入り部門中の商品（３商品）が表示されている。なお表示されている各商品を囲む枠の左端辺部分には、部門毎に色彩を変更した縦長帯状の部門表示部ｃが設けられている（以下の他のページに表示される商品についても同様である）。このように構成すれば、同一ページに複数の部門の商品が表示されているような場合（お気に入りのページや仮設定のページ）でも、容易に各商品の部門を認識することができる。
【００２１】
次に、例えば、図６に示す買上画面Ｇ１のように、部門選択部Ｇ１７１中の青果（野菜）部門を選択して部門商品一覧Ｇ１７３に青果部門の各種商品を表示し、表示された複数の商品中の登録しようとする商品を押下し、同時に図示しないボタンを押下することで登録する商品の個数を指定する。これによって、押下された商品とその個数が買上商品表示欄Ｇ１１に表示され（ステップＳＴ１−８）、同時に当該商品が図示しない登録商品ファイルに商品登録される（ステップＳＴ１−９）。ステップＳＴ１−８とステップＳＴ１−９の処理は、逆の順序で行ってもよい。この商品指定操作を繰り返すことで（ステップＳＴ１−８，９，６，２）、図６では、３つの商品が登録され、買上商品表示欄Ｇ１１に表示されている。この時同時に、精算内容表示欄Ｇ１５には、買上品目に応じた小計額が表示される。この例では、青果部門の中からのみ商品が登録されているが、他の各種部門の商品（お気に入り部門に設定されている商品や、仮設定部門に設定されている商品も含む）も同時に登録できることは言うまでもない。そして締めキーが押下されて締め処理が行われると（ステップＳＴ１−６の「Ｙ」）、図示しない会計処理が行われ（ステップＳＴ１−７）、一連の登録精算処理が終了する。
【００２２】
一方、前記ステップＳＴ１−２において、前記商品選択欄Ｇ１７に表示されない商品、即ち前記商品マスタ１１０や下記する仮設定ファイル１３０に設定されていない未設定商品を買上リストに登録する場合（ステップＳＴ１−２の「Ｎ」）は、例えば前記図５の買上画面Ｇ１において、仮設定ボタンＧ１９を押下し、これによって画面の右側（商品選択欄Ｇ１７上）に、図７に示す仮設定画面Ｇ２をポップアップで表示する（ステップＳＴ１−３）。仮設定画面Ｇ２は、ソフトウエアキーボード（操作子）であって、その上部から順番に、「部門を選んで、金額を入力して下さい。」のような操作指示部Ｇ２１と、入力した数値を表示する数値表示部Ｇ２３と、単価の数値などを入力する入力部Ｇ２５と、その未設定商品の部門を入力する部門入力部Ｇ２７とを設けて構成されている。この例では、登録しようとする単価１００円のトマトが、未設定商品であるとすると、入力部Ｇ２５中の「１」→「００」を押下して数値表示部Ｇ２３に「１００」を表示させ、次に部門入力部Ｇ２７中の「野菜」を押下して当該未設定商品が属する特定部門を設定し、最後に入力部Ｇ２５中の「＋」を押下して確定する。これによって、図８に示す買上画面Ｇ１のように、買上商品表示欄Ｇ１１にその部門名と金額とが表示される（ステップＳＴ１−４）。このように、未設定商品が買上リストに追加された場合は、当該未設定商品を仮設定商品として、図９に示す仮設定ファイル１３０に設定する（ステップＳＴ１−５）。即ち、仮設定ファイル１３０には、仮設定した各商品の仮設定番号、部門、価格、設定日時などが記載されており、その最終行に、今回追加して設定されたトマトが野菜として設定されている。仮設定ファイル１３０には、商品の具体的名称ではなく、簡易に、その部門のみを記載するので、例えば野菜についての表示が複数ある場合は、例えば図８，図９に示す「野菜１」，「野菜２」のように、番号などの識別符号を付して、それぞれを区別可能に表示することが好ましい。なおこの仮設定ファイル１３０も、前記ハードディスク２３やＲＡＭ２７に記憶されている。ステップＳＴ１−４とステップＳＴ１−５の処理は、逆の順序で行ってもよい。また図８の買上画面Ｇ１の商品選択欄Ｇ１７には、仮設定部門のページを表示しているが、前記仮設定ファイル１３０への設定によって、この仮設定部門のページに「野菜２  １００円」が追加記載されている。そして、この仮設定処理以降にこの仮設定した商品の商品登録処理を行う際は、一々前記仮設定画面Ｇ２を表示して商品登録処理する必要はなく、この仮設定部門のページを開いて「野菜２  １００円」の部分を押下するだけで、容易に当該商品の商品登録・買上処理を行うことができるようになる。このように、商品マスタ１１０に設定された本設定商品と共に、商品マスタ１１０に設定されていない仮設定商品も、容易に商品登録・精算処理することが可能になる。
【００２３】
以上説明したように、上記ＰＯＳ装置１によれば、商品マスタ１１０に設定されていない未設定商品を、当該未設定商品が属する特定部門の売上げとして買上リストに登録する未設定商品登録手段（ステップＳＴ１−３，４を実行するＣＰＵ２１など）と、前記商品が商品登録可能な状態において前記未設定商品を仮設定商品として前記タッチパネル１３に操作子（仮設定画面Ｇ２）を表示して設定する仮設定商品設定手段（ステップＳＴ１−５を実行するＣＰＵ２１など）とを有するので、商品を登録可能な画面上で未設定商品を容易に仮設定でき、またその属性に応じた特定部門の売上げとして、容易に商品登録することができる。
【００２４】
また上記ＰＯＳ装置１によれば、前記仮設定商品設定手段によって設定された仮設定商品を、直接指定することで商品登録可能とした（ステップＳＴ１−２からステップＳＴ１−８，９において仮設定商品をそのまま商品登録するＣＰＵ２１など）ので、仮設定商品を一度設定しておけば、その後はこの仮設定商品を直接指定することで（本設定商品として設定しなくても）、その商品登録を容易に行うことができる。
【００２５】
次に、仮設定商品の編集方法などについて説明する。図１０は、タッチパネル１３に表示された仮設定商品の商品情報を編集・削除などする際の動作フロー図である。同図に示すように、仮設定商品の商品情報を編集などするには、例えば図１１に示す買上画面Ｇ１の商品選択欄Ｇ１７に仮設定部門のページを表示する（ステップＳＴ２−１）。次に、編集などを行おうとする仮設定商品を指定する（ステップＳＴ２−２）。この例では、図１１に示すように、前記図８に示す「野菜２  １００円」の仮設定商品の部分を長押しすることでこの仮設定商品部分上に編集等指示部Ａ１を表示する。この編集等指示部Ａ１には、お気に入りマークａ１と編集マークａ２と削除マークａ３が表示されている。
【００２６】
そして、図１１において、削除マークａ３が押下されて削除が指示されると（ステップＳＴ２−３→ＳＴ２−６→ＳＴ２−８）、当該「野菜２  １００円」の表示が削除され、同時に前記仮設定ファイル１３０中の該当部分が削除される（ステップＳＴ２−９）。
【００２７】
一方、図１１において、お気に入りマークａ１が押下されてお気に入りの指示がされると（ステップＳＴ２−３→ＳＴ２−６）、当該仮設定商品がお気に入りに設定される（ステップＳＴ２−７）。具体的には、図１２に示すように、仮設定部門のページ中の「野菜２  １００円」の部分に、お気に入りマーク「★」を付し、また図１３に示すように、お気に入りのページに、「野菜２  １００円」の項目を追加記載する。
【００２８】
一方、図１１において、編集マークａ２が押下されて編集が指示されると（ステップＳＴ２−３の「Ｙ」）、例えば図１４に示すような編集画面Ｇ３が表示される（ステップＳＴ２−４）。編集画面Ｇ３は、商品名や価格や部門などを編集して商品マスタ１１０に設定（本設定）するための画面である。この例の場合は、価格欄Ｇ３３と部門欄Ｇ３５は仮設定商品で設定していたものと同一としたまま、新たにその商品名欄Ｇ３１に「トマト」を入力する。そして「ｅｎｔｅｒ」キーＧ３７を押下することで、本設定商品として、商品マスタ１１０に新たにこの商品を設定する（ステップＳＴ２−５）。本設定商品として登録する場合に、ＰＬＵ番号の空いている番号を取得してＰＬＵ番号を登録する（若い歯抜け番号があればその番号に割り当てる）。または、部門毎に割り当てられているＰＬＵ番号の範囲で空き番号を探して割り当ててもよい。これによって、図１５に示すように、青果（野菜）部門のページに、新たに「トマト  １００円」が表示される。この時、前記図８の仮設定ページに表示していた「野菜２  １００円」の表示や、仮設定ファイル１３０中の「野菜２  １００円」の欄部分を削除する。ただし、仮設定ページや仮設定ファイル１３０にこれらを残しておいてもよい（例えば、「野菜２  １００円」のまま残しておいても良いし、「トマト  １００円」に変更して残しておいても良い）。なお、仮設定商品の編集や削除は、所定の権限を有する者のみが操作可能となるように構成してもよい。
【００２９】
ところで、商品マスタ１１０に予め設定して記憶された本設定商品（仮設定商品を本設定商品に編集したものは除く）は、商品選択欄Ｇ１７によっては、お気に入りの設定のみを可能とし、編集や削除ができない構成としている。即ち、例えば図１５に示す商品選択欄Ｇ１７の野菜のページにおいて、商品「有機キャベツ  ２５０円」の部分を長押しすると、図１６に示すように、前記と同様の編集等指示部Ａ１が表示される。しかしこの場合は、編集マークａ２と削除マークａ３は押下できず、お気に入りマークａ１のみを押下可能に構成している。即ち、お気に入りマークａ１を押下することで、図１７に示すように、野菜のページの商品「有機キャベツ  ２５０円」の部分に、お気に入りマークが表示され、図１８に示すように、お気に入りのページに商品「有機キャベツ  ２５０円」が追加記載される。一方、図１５に示す商品選択欄Ｇ１７の野菜のページにおいて、商品「トマト  １００円」については、仮設定商品を本設定商品に編集したものであるから、お気に入りの設定のみではなく、編集や削除も可能としている。また仮設定商品を本設定商品に編集したものは、当日は編集可能であるが、日にちが切替った場合（即ち予め決めていた期間が経過した場合）には、「予め設定して記憶された商品」となり、編集は不可能になるように構成している。なお、仮登録商品を本設定商品に編集した場合、即座にすべて編集不可としても良いし、逆に期間を決めずにいつまでも編集可能としても良い。
【００３０】
以上説明したように、ＰＯＳ装置１は、タッチパネル１３に表示された仮設定商品の商品情報を編集する編集手段（ステップＳＴ２−４、ＳＴ２−５中の編集を実行するＣＰＵ２１など）をさらに有し、当該編集手段は、編集によって、前記仮設定商品を本設定商品として商品マスタ１１０に記憶させる構成としている。これによって、仮設定商品を容易に本設定商品に設定することができる。
【００３１】
また上記実施形態では、上記編集手段を、仮設定商品に対して操作可能であり、予め設定して記憶された本設定商品に対しては操作不可としている。即ち、仮設定商品の編集（変更や削除）はできるが、本設定商品の編集（変更や削除）はできない。これによって、本設定商品の安易な編集を防止している。但し、所定の権限を有するものであること（パスワードなど）を入力することで、本設定商品の編集もできるように構成してもよい。なお、本設定商品の編集（変更や削除）は、従来からある、別に設けた商品マスタの編集画面（操作は一般に所定の権限が必要）において行うことができる。
【００３２】
また上記実施形態では、仮設定商品が本設定商品として設定された場合、当該設定された本設定商品を、仮設定商品の際に設定した特定部門（及び価格）の商品として設定するように構成している。仮登録商品については、すでに特定部門（及び価格）が設定されているので、新たに特定部門（及び価格）を設定することなく、仮設定商品を本設定商品として設定するだけで、本設定商品の特定部門（及び価格）を設定することができる。
【００３３】
次に、買上画面Ｇ１中の買上商品表示欄Ｇ１１に表示した買上商品の訂正方法について説明する。まず、図６に示すように、買上商品表示欄Ｇ１１に買上を希望する商品が表示されていたとする。そして例えば「茨城産とうもろこし」の価格を変更したい場合は、画面上の「茨城産とうもろこし」の欄の部分を押下する。これによって、図１９に示すように、「茨城産とうもろこし」の欄の部分に、訂正用タブＴ１がポップアップ表示される。訂正用タブＴ１中には、価格割引マークｔ１と、削除マークｔ２と、個数変更マークｔ３とが表示されている。そして価格割引マークｔ１の部分が押下されると、図２０に示すように、商品選択欄Ｇ１７上に、割引入力画面Ｇ４がポップアップで表示される。そして、割引入力画面Ｇ４中の数字を、例えば「１」→「０」→「−円」を押下すれば、１０円割引になって上部に設置した表示部Ｇ４１中に「−１０円」が表示され、「１」→「０」→「−％」を押下すれば、１０％割引になって表示部Ｇ４１中に「−１０％」が表示される。また５％割引ボタンＧ４３や、１０％割引ボタンＧ４５を押下すれば、ワンタッチで割引を行うことができる。この例では、例えば１０％割引を指定したとすると、図２１に示すように、元の金額「￥３００」に消去線を引いた上で、新たな金額「￥２７０」を表示する。このように構成すれば、新しい金額を元の金額上に上書きする方法に比べて、割引く前の金額と、割引いた後の金額とを、明確に表示することができ、好適である。
【００３４】
一方、図１９において、削除マークｔ２が押下された場合は、例えば「茨城産とうもろこし  １５０×２  ￥３００」の全体に消去線を引いて表示してもよいし、「茨城産とうもろこし」の欄自体を消去してもよい。また図１９において、個数変更マークｔ３が押下された場合も、例えば２個から３個に変更した場合は、「２」の部分と「￥３００」の部分に消去線を引き、それらの横に、それぞれ「３」と「￥４５０」を表示する。このように構成すれば、上記と同様に、新しい金額や個数などを元の金額や個数などの上に上書きする方法に比べて、割引く前の金額や個数などと、割引いた後の金額や個数などとを、明確に表示することができる。
【００３５】
次に、買上画面Ｇ１中の買上商品表示欄Ｇ１１に表示した買上商品の精算方法について説明する。まず、図６に示すように、買上商品表示欄Ｇ１１に買上を希望する商品が表示されていたとする。そして支払種別選択欄Ｇ１３中の現金ボタンＧ１３７が押下されると、図２２に示すように、商品選択欄Ｇ１７上に、預り金額入力欄Ｇ５が表示される。そしてこの預り金額入力欄Ｇ５に預り金を入力すれば、預り金額入力欄Ｇ５の上部の表示部Ｇ５１に預り金、例えば「９００円」が表示される。そして、預り金額入力欄Ｇ５の「円」（現計キー）の部分を押下すれば、精算内容表示欄Ｇ１５中のお預り金額やお釣りの金額が表示される。そしてその後、精算処理が行われる。
【００３６】
一方、図６に示す買上商品表示欄Ｇ１１の支払種別選択欄Ｇ１３中のクレジットカードボタンＧ１３１や、プリペイドカードボタンＧ１３３が押下されると、それぞれ、それらの精算方法によって精算処理が行われる。
【００３７】
ところで上記実施形態では、ＰＯＳ装置１が１台の場合であって、商品マスタ１１０を当該ＰＯＳ装置１に記憶する構成を示したが、商品マスタ１１０は、１台又は複数台のＰＯＳ装置１に通信回線を介して接続した管理装置や、複数台あるＰＯＳ装置１の内の何れか１台に記憶し、本発明を実行するＰＯＳ装置１にダウンロードなどして読み込ませる構成としても良い。また、上記実施形態に係るＰＯＳ装置１で実行されるプログラムは、ＲＯＭ２５等に予め組み込まれて提供されるものとしているが、これに限られず、インストール可能な形式または実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。また、上記実施形態のＰＯＳ装置１で実行されるプログラムを、インターネット等のネットワークに接続されたコンピュータ上に格納し、ネットワーク経由でダウンロードさせることにより提供するように構成しても良い。また、上記実施形態のＰＯＳ装置１で実行されるプログラムを、ネットワーク経由で提供又は配布するように構成しても良い。
【００３８】
また上記実施形態において、商品選択欄Ｇ１７に設けた仮設定部門のページは、もし仮設定商品が存在しない場合は、このページ自体を消去しておき、仮設定商品が新たに設定された際に、自動的に仮設定部門のページを生成して、そこに仮設定商品を配置するように構成してもよい。
【００３９】
また、例えば、図６に示す買上画面Ｇ１中の買上商品表示欄Ｇ１１に表示した買上商品の欄の部分を長押しすることで、当該商品の詳細が表示されるように構成してもよい。ここで商品の詳細とは、当該商品の品種、より具体的な生産地、生産農家、収穫時期などである。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４１】
１  ＰＯＳ装置（商品販売登録装置）          １１  ケース
１３  タッチパネル                          １５  発行口
１７  スキャナ部                            １９  入出金部
２１  ＣＰＵ                                ２３  ハードディスク
２５  ＲＯＭ                                ２７  ＲＡＭ
３１  表示部                                ３３  印刷部
３５  通信部                                ３７  操作部
３９  通信回線                              １１０  商品マスタ
１３０  仮設定ファイル                      Ｇ１  買上画面
Ｇ１１  買上商品表示欄                      Ｇ１３  支払種別選択欄
Ｇ１３１  クレジットカードボタン            Ｇ１３３  プリペイドカードボタン
Ｇ１３７  現金ボタン                        Ｇ１５  精算内容表示欄
Ｇ１７  商品選択欄                          Ｇ１７１  部門選択部
Ｇ１７３  部門商品一覧                      Ｇ１９  仮設定ボタン
Ｇ２  仮設定画面                            Ｇ２１  操作指示部
Ｇ２３  数値表示部                          Ｇ２５  入力部
Ｇ２７  部門入力部                          Ａ１  編集等指示部
ａ１  お気に入りマーク                      ａ２  編集マーク
ａ３  削除マーク                            Ｇ３  編集画面
Ｇ３１  商品名欄                            Ｇ３３  価格欄
Ｇ３５  部門欄                              Ｇ３７  「ｅｎｔｅｒ」キー
Ｔ１  訂正用タブ                            ｔ１  価格割引マーク
ｔ２  削除マーク                            ｔ３  個数変更マーク
Ｇ４  割引入力画面                          Ｇ４１  表示部
Ｇ４３  ５％割引ボタン                      Ｇ４５  １０％割引ボタン
Ｇ５  預り金額入力欄                        Ｇ５１  表示部
【図１Ａ】
2020101857.tif 000003
【図１Ｂ】
2020101857.tif 000004
【図１Ｃ】
2020101857.tif 000005
【図１Ｄ】
2020101857.tif 000006
【図１Ｅ】
2020101857.tif 000007
【図１Ｆ】
2020101857.tif 000008
【図１Ｇ】
2020101857.tif 000009
【図１Ｈ】
2020101857.tif 000010
【図２】
2020101857.tif 000011
【図３】
2020101857.tif 000012
【図４】
2020101857.tif 000013
【図５】
2020101857.tif 000014
【図６】
2020101857.tif 000015
【図７】
2020101857.tif 000016
【図８】
2020101857.tif 000017
【図９】
2020101857.tif 000018
【図１０】
2020101857.tif 000019
【図１１】
2020101857.tif 000020
【図１２】
2020101857.tif 000021
【図１３】
2020101857.tif 000022
【図１４】
2020101857.tif 000023
【図１５】
2020101857.tif 000024
【図１６】
2020101857.tif 000025
【図１７】
2020101857.tif 000026
【図１８】
2020101857.tif 000027
【図１９】
2020101857.tif 000028
【図２０】
2020101857.tif 000029
【図２１】
2020101857.tif 000030
【図２２】
2020101857.tif 000031